(57)【要約】      （修正有）【課題】型くずれを防止するためのホルダを簡単にグローブ内に差し込むことができるグローブ用ホルダを提供する。【解決手段】手のひら部分に当たる胴部１１と、親指部分に当たる指部１２と、胴部１１と指部１２の付け根を介して指部１２を胴部１１側に一時的に折り曲げられる折曲部１３とで構成される。使用にあたっては、指部１２を胴部１１側に折り曲げた状態で、グローブ内に胴部１１を差し込むことでグローブ用ホルダ１０全体が簡単にグローブ内に差し込むことができ、なおかつ指部１２をそのままグローブの親指部分に差し込むことができる。【選択図】図１
0003187518.tif 000002
【実用新案登録請求の範囲】
【請求項１】
手のひら部分に当たる胴部と、
親指部分に当たる指部と、
上記胴部と指部の付け根を介して上記指部を上記胴部側に一時的に折り曲げる折曲部とで構成され、
上記指部を上記胴部側に折り曲げた状態で、上記グローブ内に上記胴部を差し込めるようにした
ことを特徴とするグローブ用ホルダ。
【請求項２】
上記胴部と指部には厚みのある発泡材が介在された状態で、上下２枚の外皮が溶着された
ことを特徴とする請求項１記載のグローブ用ホルダ。
【請求項３】
上記発泡剤は、抗菌処理が施されている
ことを特徴とする請求項２記載のグローブ用ホルダ。
【考案の詳細な説明】
【技術分野】
【０００１】
この考案はゴルフ用グローブなどに適用して好適なグローブ用ホルダに関する。
【背景技術】
【０００２】
ゴルフなどに使用されているグローブは、型くずれを防止したり、長持ちさせるため、プレー終了後や練習後にグローブ用ホルダ（グローブ用ハンガー）をグローブの中に差し込んで保管したりする場合がある。
【０００３】
グローブ用ホルダとして非特許文献１に示したように人の手の外形を形取ったものや、非特許文献２に示したように魚のマンボーのようにふくらみのある外形を形取ったものが知られている。
【先行技術文献】
【非特許文献】
【０００４】
【非特許文献１】http://item.rakuten.co.jp/yokohamagolf/achk0062/
【非特許文献２】http://item.rakuten.co.jp/f-netgolf/ad-10fw-ac-m-jm132/
【考案の概要】
【考案が解決しようとする課題】
【０００５】
非特許文献１に開示されたグローブ用ホルダは、図８に示すように５本の指の輪郭を形どった差し込み部材２で構成され、差し込み部材２は扁平細条のプラスチック材によって成形されたものである。
【０００６】
このグローブ用ホルダ１を使用すれば、グローブの各指に差し込み部材２の指部３が差し込まれるため、グローブの型くずれを防止できる。その反面、差し込み部材２がプラスチック材で構成され、柔軟性があったとしても、指部３をグローブの各指に沿って差し込むのが意外と面倒で、差し込みが完了するまでの時間がかかってしまう。
【０００７】
特に、親指部分に相当する指部３ａを簡単に差し込むことができず、また５本の指部３を全て対応する箇所に差し込むにも、慣れないと相当時間がかかってしまう。
【０００８】
非特許文献２に開示されたグローブ用ホルダは、図９に示すように手のひらに対応した胴部５と、親指に対応した指部６とで構成され、胴部５も指部６も共に団子状に膨らんだ形状となされている。
【０００９】
胴部５と指部６とにそれぞれ膨らみを持たせることで、ホルダをグローブに差し込んだとき、グローブ全体に所定の膨らみを持たせて型くずれを防止している。
【００１０】
このグローブ用ホルダ１では、指部６にもある程度の膨らみがあり、しかも指部６と胴部５とは型くずれしないように、しっかり相互が固定されているから、グローブの開口部（手の差し込み側）に設けられたファスナーを外して開口部分を十分に開けておかないと、外方向に突き出た指部６が邪魔をして中々グローブの中に入り込めない。入り込めたとしても、グローブの親指部分にうまく指部６を差し込めないことがしばしば起きる。その結果、差し込み操作が面倒になり、差し込み時間もかかってしまう。
【００１１】
そこで、この考案はこのような従来の問題を解決したものであって、グローブに簡単に差し込むことができるグローブ用ホルダを提案するものである。
【課題を解決するための手段】
【００１２】
上記課題を解決するため、この考案に係るグローブ用ホルダは、手のひら部分に当たる胴部と、親指部分に当たる指部と、胴部と指部の付け根を介して指部を胴部側に一時的に折り曲げる折曲部とで構成され、指部を胴部側に折り曲げた状態で、グローブ内に胴部を差し込めるようにしたことを特徴とする。
【００１３】
使用に当たっては、指部を胴部側に折り曲げた状態で、グローブ内に胴部を差し込む。そうするとホルダ全体を簡単にグローブ内に差し込むことができ、なおかつ指部がそのままグローブの親指部分に差し込むことができる。
【００１４】
ホルダをグローブ内に差し込むとき、胴部から指部が突き出していると、差し込むときに指部が邪魔になって差し込みを妨げるおそれがあったり、素早く差し込めなかったりする。
【００１５】
この考案によれば、グローブに差し込むときだけ、指部を胴部側に折り曲げ、その状態でグローブ内に差し込むと、胴部より突き出た指部が胴部側に折り返されているため、非常にスムーズに開口部よりグローブの中に差し込むことができる。
【００１６】
指部より手を放すと、折曲部の弾力復帰作用で指部は元の状態に復帰するように作用する。胴部がグローブの手のひら部分まで差し込まれると、指部はグローブの親指部分近くまで挿入されているため、指部より手を放すと、指部がグローブの親指部分と対峙するようになる。その結果、胴部がグローブに差し込まれたときに指部から手を放して開放するだけで、指部を簡単に親指部分に差し込むことができる。
【００１７】
このように指部を一時的に折りたたむことによって、指部に邪魔されることなくグローブ内にグローブ用ホルダを差し込むことが可能になり、非常に簡単かつスムーズにグローブ内に差し込むことができる。グローブ用ホルダをグローブから取り出すときも、グローブ用ホルダを引き抜くだけであるから簡単である。
【考案の効果】
【００１８】
この考案によれば、手のひら部分に当たる胴部と、親指部分に当たる指部と、胴部と指部の付け根を介して指部を胴部側に一時的に折り曲げる折曲部とで構成したので、指部を胴部側に折り曲げた状態で、グローブ内に胴部を差し込むことができる。その結果、指部に邪魔されることなくグローブ内にホルダを簡単に差し込め、また引き出すことができる特徴を有する。
【図面の簡単な説明】
【００１９】
【図１】この考案に係グローブ用ホルダの一例を示す平面図である。
【図２】図１のＡ−Ａ’線上のうち、細孔を省略した要部の断面図である。
【図３】図２のＢ−Ｂ’線上のうち細孔を省略した要部の断面図である。
【図４】使用状態を示す平面図である。
【図５】指部を折り曲げてグローブ内に差し込むまでの状態を示す平面図である。
【図６】グローブ用ホルダをグローブ内に差し込んだ状態を示す平面図である。
【図７】グローブ用ホルダをグローブ内に差し込んで、グローブを折りたたんだ状態を示す平面図である。
【図８】従来のグローブ用ホルダの一例を示す平面図である。
【図９】従来のグローブ用ホルダの他の例を示す平面図である。
【符号の説明】
【００２０】
１０・・・グローブ用ホルダ
１１・・・胴部
６，１２・・・指部
１３・・・折曲部
１５・・・外皮
１６・・・細孔
１７・・・発泡材
１８・・・溶着部
２０・・・留め具
３０・・・グローブ
３０ａ・・・親指
３０ｂ・・・手のひら
【考案を実施するための形態】
【実施例】
【００２１】
続いてこの考案にかかるグローブ用ホルダの一例を説明する。
【００２２】
図１において、１０はゴルフに使用されるグローブ用ホルダを示す。グローブ用ホルダ１０は胴部１１と、指部１２と、折曲部１３とで構成される。
【００２３】
折曲部１３を用いて指部１２を胴部１１側に折り曲げたときの形は、丁度グローブ３０を新調したときの手のひら３０ｂ（図５Ｂ参照）と親指３０ａとの形に近似するようにその全体の形が設計されている。グローブを使用する前は図５Ｂのようにグローブ３０の親指３０ａも手のひら３０ｂ側に折り曲げられた状態で商品棚に陳列されている。
【００２４】
胴部１１はグローブ３０の手のひら３０ｂに相当する部分であって、グローブ３０に差し込み易くするため、グローブ３０の手のひら３０ｂとほぼ同じように若干丸みを帯びた長さと幅をもった形状（魚のマンボーに似たうちわ状）となされると共に、その大きさはグローブ３０の手のひら部分よりも若干小さ目に選定される。
【００２５】
指部１２は胴部１１に連接し、グローブ３０の親指３０ａよりも若干短く、太さもグローブ３０の親指３０ａよりも若干細くなるようにその形状や大きさが選定される。
【００２６】
胴部１１と指部１２との間にはこれらに連接するように折曲部１３が設けられる。折曲部１３は所定の幅Ｗを有し、指部１２が胴部１１側に動かし易い（折り曲げ易い）ような傾きをもって形成される。指部１２はこの折曲部１３によって折り曲げ自在となり、指部１２を胴部１１側に力を加えることで指部１２が胴部１１側に折れ曲がる（図５Ａ参照）。指部１２への力を解除すれば指部１２は元の位置に復帰する。つまり自力で回復できる（図４参照）。
【００２７】
図２および図３に示すように、グローブ用ホルダ１０は上下２枚の外皮（表皮）１５，１５で構成され、外皮１５と１５の間には、発泡材１７が充填されている。発泡材１７は図２および図３にも示すように平たい板状体であって、グローブ用ホルダ１０にある程度の厚みを付与するために介挿される。
【００２８】
外皮１５，１５はこの例では柔軟性を付与するためポリ塩化ビニールなどのシート状樹脂材が使用され、図１にも示すように外皮１５，１５のほぼ全面に亘り小径の孔（細孔）１６が所定の間隔を保持して穿設されている。孔径は０．５〜１．０mm程度である。図２および図３は、作図上この細孔１６を省略した要部の断面図として図示されている。
【００２９】
一方、充填される発泡材１７は抗菌処理が施された発泡材が使用される。平板状の発泡材１７は予め胴部１１および指部１２の形状となるように加工される。その厚みは取扱いが易いようにこの例では８mm程度の厚みを有するスポンジが用いられている。
【００３０】
２枚の外皮１５，１５の間に発泡材１７を挟んだ状態で、外皮１５，１５の外周を所定幅で溶着することで図１〜図３に示すような溶着部１８が形成される。溶着部１８は上下の外皮１５と１５とが直接接触させた状態で溶着される。
【００３１】
指部１２と胴部１１との間にも斜め方向（指先に向かって広がるような方向）に所定幅Ｗとなるように溶着されることで折曲部１３が形成される。所定の幅Ｗは、指部１２を折り曲げやすく、しかも元の位置に復帰し易くなるいような幅に選ばれるもので、この例ではグローブサイズにもよるが、２〜４mm程度である。
【００３２】
抗菌処理を施した発泡材１７を使用すれば、外皮１５，１５に設けられた細孔１６を通して抗菌剤が外部に飛散するので、グローブ用ホルダ１０をグローブ３０（図５参照）内に差し込んでおくだけで、グローブ３０を抗菌処理できる。もちろん、抗菌の他に、自然乾燥、滅菌、消臭、カビの増殖防止などを図ることができる。
【００３３】
図１に示すように、胴部１１の一端部（グローブ３０への差し込み方向とは反対側）には、フックなどの留め具２０（図４参照）を取り付ける透孔１１ａが設けられている。図４には２種類の留め具２０を例示したが、一方のみでも勿論差し支えない。
【００３４】
（使用例）
続いて、この考案に係るグローブ用ホルダ１０の使用例を、図４以下を参照して説明する。
【００３５】
図４は使用前のグローブ用ホルダ１０を示す。使用前では指部１２は胴部１１から外側に突き出た状態のままである。このグローブ用ホルダ１０の形は手のひらを開いたときの人間の手のひらと親指に近い形となっている。グローブ用ホルダ１０をグローブ３０に差し込むときは、図５Ａに示すように指部１２を胴部１１側に、胴部１１の表面に接触するほどに折り曲げる。
【００３６】
指部１２を折り曲げたときの形は、丁度グローブ３０を新調したときの手のひらと親指との形に近似するように設計されているので、グローブ用ホルダ１０を使用するときは、指部１２を折り曲げた状態でグローブ３０の入り口（開口部）３１から図５Ｂのようにグローブ用ホルダ１０を差し込む。このとき、開口部３１を矢印ａ方向に広げる。最大限に広げておくとグローブ用ホルダ１０をスムーズに差し込むことができる。
【００３７】
胴部１１がグローブ３０の手のひら部分の前半１/３程度まで差し込まれると、指部１２の先端部はグローブ３０の親指３０ａの付け根部分あたりまで到達している。したがって、胴部１１がグローブ３０の手のひら中央部分まで差し込む間に指部１２から手を放すと、指部１２は元の位置に戻ろうとする復元力が働くので、指部１２はグローブ３０の親指３０ａの付け根部分から多少入り込んで親指３０ａに対峙した状態で押し込まれる。
【００３８】
この状態でさらにグローブ用ホルダ１０をグローブ３０内に押し込むと、指部１２はグローブ３０の親指３０ａ内に完全に差し込まれる。差し込みが完了するとグローブ３０の手のひら当たりに胴部１１が収まり、グローブ３０の親指３０ａ内に指部１２が入り込んだ状態となる。
【００３９】
この収納状態を図６に示す。指部１２はその復元力で外方に開くので、グローブ３０の親指３０ａが多少外側に広がった図６の状態となる。
【００４０】
胴部１１はその先端部が多少丸味を帯びているので、指部１２を折り曲げたままグローブ３０内にグローブ用ホルダ１０を差し込むと、指部１２に邪魔されることなく、スムーズにグローブ用ホルダ１０をグローブ３０内に差し込むことができる。
【００４１】
このホルダ収納状態でグローブ３０を使用しないときはゴルフバックのポケット内に保管することもできれば、ゴルフバックの吊り下げフック（図示はしない）などに引っかけて保管することもできる。
【００４２】
グローブ用ホルダ１０をグローブ３０から外すときは、グローブ３０の開口部３１側に設けられたファスナ（図示はしない）を開放し、その状態で引き出せばグローブ用ホルダ１０をグローブ３０から簡単に引き出すことができる。
【００４３】
グローブ用ホルダ１０をグローブ３０に差し込んだとき、グローブ３０には図６破線で示すようなところまでしかグローブ用ホルダ１０が差し込まれていないため、グローブ３０の親指３０ａ部分以外は簡単に折り曲げることができる。そのため図７に示すようにグローブ３０内にグローブ用ホルダ１０を差し込み、親指３０ａ部分以外を折り曲げてコンパクトにした状態でゴルフバック内にグローブ３０を保管することができる。
【００４４】
上述した留め具２０の使用例としては、例えばグローブ３０にグローブ用ホルダ１０を差し込んで置き、ゴルフバックの吊り下げ金具などに留め具２０を引っかけておけば、グローブ３０を乾燥させながら保管しておくことができる。あるいはゴルフプレイ中、グリーンに上がってパターをするとき、プレイヤーによっては一時的にグローブ３０を外すことがあるが、このとき、ポケットの中にグローブ用ホルダ１０を差し込んでおけば、留め具２０を使用してグローブ３０を一時的に吊り下げておくことができる。パターを打つときに邪魔にもならない。
【００４５】
（変形例）
外皮１５と１５の固定は溶着ではなく、縫い合わせた縫製処理であったり、接着剤を使用して固定してもよい。グローブ用ホルダ１０のサイズはＬとＭサイズが用意されている。グローブ用ホルダ１０は右手用と左手用の共用構成である。
【００４６】
図３にも示したように折曲部１３は外皮１５，１５のみで構成され、内部には発泡材が介在されていないが、薄目の発泡材を介在させた状態で溶着処理を施してもよい。発泡材が補強材としても機能する。
【００４７】
上述した実施例は、この考案に係るグローブ用ホルダ１０をゴルフ用のグローブに対する型くずれ防止などに適用する例を説明したが、自転車愛好家やアスリート用として使用されることの多いグローブの型くずれ防止などに適用できることは容易に理解できる。
【産業上の利用可能性】
【００４８】
この考案は、ゴルフを始めとしてアスリート用などのグローブに対する型くずれ防止用として使用することができる。
【図１】
0003187518.tif 000003
【図２】
0003187518.tif 000004
【図３】
0003187518.tif 000005
【図４】
0003187518.tif 000006
【図５】
0003187518.tif 000007
【図６】
0003187518.tif 000008
【図７】
0003187518.tif 000009
【図８】
0003187518.tif 000010
【図９】
0003187518.tif 000011
【手続補正書】
【提出日】平成25年9月30日(2013.9.30)
【手続補正１】
【補正対象書類名】実用新案登録請求の範囲
【補正対象項目名】全文
【補正方法】変更
【補正の内容】
【実用新案登録請求の範囲】
【請求項１】
手のひら部分に当たる胴部と、
親指部分に当たる指部と、
上記胴部と指部との間に設けられ、上記胴部と指部の付け根を介して上記指部を上記胴部側に一時的に折り曲げて上部胴部をグローブの内側に挿入する、所定の幅を有した折曲部とで構成された
ことを特徴とするグローブ用ホルダ。
【請求項２】
上記胴部と指部には厚みのある発泡材が介在された状態で、上下２枚の外皮が溶着された
ことを特徴とする請求項１記載のグローブ用ホルダ。
【請求項３】
上記発泡材は、抗菌処理が施されている
ことを特徴とする請求項２記載のグローブ用ホルダ。